【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
送信宛先を指定する指定手段と、
前記指定手段により指定された送信宛先の通信方式を判別する判別手段と、
前記判別手段による判別の結果に従い、送信に関する設定を行うための設定画面を表示する表示手段と、
前記設定画面を介して行われた設定に基づき、前記指定手段により指定された送信宛先にデータを送信する送信手段と、を備え、
前記表示手段は、前記指定手段により１つの送信宛先が指定されている場合は、当該１つの送信宛先の通信方式に関連する設定項目を設定可能に前記設定画面に表示し、前記指定手段により通信方式が異なる複数の送信宛先が指定されている場合は、当該複数の送信宛先それぞれの通信方式に関連する設定項目をマージしたものを設定可能に前記設定画面に表示することを特徴とする送信装置。
【請求項２】
前記表示手段は、前記指定手段により１つの送信宛先が指定されている場合は、当該１つの送信宛先の通信方式に関連しない設定項目を前記設定画面に表示せず、前記指定手段により通信方式が異なる複数の送信宛先が指定されている場合は、当該複数の送信宛先それぞれの通信方式のいずれにも関連しない設定項目を前記設定画面に表示しないことを特徴とする請求項１に記載の送信装置。
【請求項３】
前記表示手段は、前記指定手段により通信方式が異なる複数の送信宛先が指定されている場合に、当該複数の送信宛先それぞれの通信方式に関連する設定項目の和集合をとり、当該和集合に含まれる設定項目を設定可能に前記設定画面に表示することを特徴とする請求項１または２に記載の送信装置。
【請求項４】
前記指定手段により複数の送信宛先が指定されている場合に、当該複数の送信宛先から少なくとも１つの送信宛先を選択する選択手段を更に備え、
前記表示手段は、前記選択手段による選択が行われていない場合は、前記指定手段により指定された複数の送信宛先それぞれの通信方式に関連する設定項目をマージしたものを設定可能に前記設定画面に表示し、前記選択手段による選択が行われている場合は、当該選択された送信宛先の通信方式に関連する設定項目を設定可能に前記設定画面に表示することを特徴とする請求項１から３のいずれか１項に記載の送信装置。
【請求項５】
前記設定画面には、設定項目と通信方式との関連を示す表示が含まれることを特徴とする請求項１から４のいずれか１項に記載の送信装置。
【請求項６】
原稿上の画像を読み取って画像データを生成する読取手段を更に備え、
前記送信手段は、前記読取手段が生成した画像データを送信することを特徴とする請求項１から５のいずれか１項に記載の送信装置。
【請求項７】
送信宛先を指定する指定手段と、
前記指定手段により指定された送信宛先を表示する表示手段と、
送信に関する複数の設定項目のうち１つの設定項目を選択する選択手段と、を備え、
前記表示手段は、前記選択手段により選択された設定項目に関連する通信方式の送信宛先と前記選択手段により選択された設定項目に関連しない通信方式の送信宛先とが区別可能な状態で、前記指定手段により指定された送信宛先を表示することを特徴とする送信装置。
【請求項８】
前記表示手段は、前記選択手段により選択された設定項目に関連する通信方式の送信宛先をハイライト表示することを特徴とする請求項７に記載の送信装置。
【請求項９】
前記通信方式は、電子メール送信、ＦＡＸ送信、Ｉ−ＦＡＸ送信、ファイル送信の少なくとも１つを含むことを特徴とする請求項１から８のいずれか１項に記載の送信装置。
【請求項１０】
指定手段が、送信宛先を指定する指定ステップと、
判別手段が、前記指定ステップで指定された送信宛先の通信方式を判別する判別ステップと、
表示手段が、前記判別ステップにおける判別の結果に従い、送信に関する設定を行うための設定画面を表示する表示ステップと、
送信手段が、前記設定画面を介して行われた設定に基づき、前記指定ステップで指定された送信宛先にデータを送信する送信ステップと、を備え、
前記表示ステップでは、前記指定ステップで１つの送信宛先が指定されている場合は、当該１つの送信宛先の通信方式に関連する設定項目を設定可能に前記設定画面に表示し、前記指定ステップで通信方式が異なる複数の送信宛先が指定されている場合は、当該複数の送信宛先それぞれの通信方式に関連する設定項目をマージしたものを設定可能に前記設定画面に表示することを特徴とする送信装置の制御方法。
【請求項１１】
指定手段が、送信宛先を指定する指定ステップと、
表示手段が、前記指定ステップで指定された送信宛先を表示する表示ステップと、
選択手段が、送信に関する複数の設定項目のうち１つの設定項目を選択する選択ステップと、を備え、
前記表示ステップでは、前記選択ステップで選択された設定項目に関連する通信方式の送信宛先と前記選択ステップで選択された設定項目に関連しない通信方式の送信宛先とが区別可能な状態で、前記指定ステップで指定された送信宛先を表示することを特徴とする送信装置の制御方法。
【請求項１２】
請求項１０または１１に記載の送信装置の制御方法をコンピュータに実行させるためのプログラム。
【手続補正２】
【補正対象書類名】明細書
【補正対象項目名】発明の名称
【補正方法】変更
【補正の内容】
【発明の名称】送信装置、送信装置の制御方法、及びプログラム
【手続補正３】
【補正対象書類名】明細書
【補正対象項目名】０００１
【補正方法】変更
【補正の内容】
【０００１】
本発明は、指定された送信宛先にデータを送信する送信装置、送信装置の制御方法、及びプログラムに関する。
【手続補正４】
【補正対象書類名】明細書
【補正対象項目名】０００７
【補正方法】変更
【補正の内容】
【０００７】
本発明は、このような従来技術の課題に鑑みてなされ、通信方式が異なる複数の送信宛先が指定されている場合の設定画面の表示（制御）に関する新たな技術を提供することを目的とする。
【手続補正５】
【補正対象書類名】明細書
【補正対象項目名】０００８
【補正方法】変更
【補正の内容】
【０００８】
上記目的を達成するために、本発明の第１の側面としての送信装置は、送信宛先を指定する指定手段と、前記指定手段により指定された送信宛先の通信方式を判別する判別手段と、前記判別手段による判別の結果に従い、送信に関する設定を行うための設定画面を表示する表示手段と、前記設定画面を介して行われた設定に基づき、前記指定手段により指定された送信宛先にデータを送信する送信手段と、を備え、前記表示手段は、前記指定手段により１つの送信宛先が指定されている場合は、当該１つの送信宛先の通信方式に関連する設定項目を設定可能に前記設定画面に表示し、前記指定手段により通信方式が異なる複数の送信宛先が指定されている場合は、当該複数の送信宛先それぞれの通信方式に関連する設定項目をマージしたものを設定可能に前記設定画面に表示することを特徴とする。
【手続補正６】
【補正対象書類名】明細書
【補正対象項目名】０００９
【補正方法】変更
【補正の内容】
【０００９】
本発明の第２の側面としての送信装置は、送信宛先を指定する指定手段と、前記指定手段により指定された送信宛先を表示する表示手段と、送信に関する複数の設定項目のうち１つの設定項目を選択する選択手段と、を備え、前記表示手段は、前記選択手段により選択された設定項目に関連する通信方式の送信宛先と前記選択手段により選択された設定項目に関連しない通信方式の送信宛先とが区別可能な状態で、前記指定手段により指定された送信宛先を表示することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１６
【補正方法】変更
【補正の内容】
【００１６】
本発明によれば、通信方式が異なる複数の送信宛先が指定されている場合の設定画面の表示（制御）に関する新たな技術を提供することができる。